【手続補正書】
【提出日】平成17年3月23日(2005.3.23)
【手続補正１】
【補正対象書類名】明細書
【補正対象項目名】発明の名称
【補正方法】変更
【補正の内容】
【発明の名称】符号化制御装置及び符号化制御方法、符号化装置及び符号化方法
【手続補正２】
【補正対象書類名】明細書
【補正対象項目名】特許請求の範囲
【補正方法】変更
【補正の内容】
【特許請求の範囲】
【請求項１】
外部から供給される信号を符号化し符号化データとして出力する符号化装置における、上記符号化データの発生符号量を所定の発生符号量目標値に基づいて制御する符号化制御装置において、
上記符号化時に用いられた量子化ステツプ数を記録した記録媒体から、当該量子化ステツプ数を取得する取得手段と、
上記取得手段により取得された上記量子化ステツプ数と、当該量子化ステツプ数の平均値に基づいて、上記発生符号量目標値を修正する修正手段と
を具えることを特徴とする符号化制御装置。
【請求項２】
上記外部から供給される信号は映像信号であり、
所定単位内におけるピクチヤ毎の発生符号量を基に上記映像信号のシーン変化に対応するピクチャを検出する検出手段と、
上記検出手段により検出された上記シーン変化点に対応するピクチヤがフレーム間予測符号化ピクチヤである場合は、上記シーン変化点のピクチヤをフレーム内符号化ピクチヤに変更する変更手段と
を具えることを特徴とする請求項１に記載の符号化制御装置。
【請求項３】
外部から供給される信号を符号化し符号化データとして出力する符号化装置における、上記符号化データの発生符号量を所定の発生符号量目標値に基づいて制御する符号化制御方法において、
上記符号化時に用いられた量子化ステツプ数を記録し、上記量子化ステツプ数と、上記量子化ステツプ数の平均値に基づいて、上記発生符号量目標値を修正する
ことを特徴とする符号化制御方法。
【請求項４】
上記外部から供給される信号は映像信号であり、所定単位内におけるピクチヤ毎の発生符号量を基に上記映像信号のシーン変化を検出し、上記検出されたシーン変化点のピクチヤがフレーム間予測符号化ピクチヤである場合は、上記シーン変化点のピクチヤをフレーム内符号化ピクチヤに変更する
ことを特徴とする請求項３に記載の符号化制御方法。
【請求項５】
外部から供給される符号化データを復号化し、当該復号化データを上記符号化データのビツトレートよりも低いビツトレートで再符号化して出力するレート変換装置における、上記再符号化における発生符号量を制御する符号化制御装置において、
上記外部から供給される符号化データの量子化ステツプ数と、上記量子化ステツプ数の平均値に基づいて、上記発生符号量の目標値を算出する算出手段
を具えることを特徴とする符号化制御装置。
【請求項６】
外部から供給される符号化データを復号化し、当該復号化データを上記符号化データのビツトレートよりも低いビツトレートで再符号化して出力するレート変換方法における、上記再符号化における発生符号量を制御する符号化制御方法において、
上記外部から供給される符号化データの量子化ステツプ数と、上記量子化ステツプ数の平均値に基づいて、上記発生符号量の目標値を算出する
ことを特徴とする符号化制御方法。
【請求項７】
映像信号を符号化処理する符号化装置において、
上記映像信号を符号化処理することにより当該映像信号の符号化難易度を取得する取得手段と、
符号化処理する際に算出された量子化ステツプ数と当該量子化ステツプ数の平均値に基づいて、上記取得手段により取得された符号化難易度を修正する修正手段と、
上記映像信号を再符号化処理して再符号化データを生成する再符号化手段と、
上記修正手段により修正された符号化難易度に基づいて再符号化処理するように、上記再符号化手段の再符号化処理を制御する制御手段と
を具えることを特徴とする符号化装置。
【請求項８】
上記制御手段は、上記修正手段により修正された符号化難易度から発生符号量目標値を算出するとともに、当該算出された発生符号量目標値に基づいて再符号化処理するように、上記再符号化手段の再符号化処理を制御する
ことを特徴とする請求項７に記載の符号化装置。
【請求項９】
上記再符号化手段は、上記符号化データを復号処理することによつて得られる映像信号を再符号化処理する
ことを特徴とする請求項７に記載の符号化装置。
【請求項１０】
上記制御手段は、上記符号化手段により生成された符号化データのビツトレートよりも低いビツトレートで再符号化処理するように、上記再符号化手段の再符号化処理を制御する
ことを特徴とする請求項９に記載の符号化装置。
【請求項１１】
映像信号を符号化処理する符号化装置において、
上記映像信号を符号化処理することにより当該映像信号の発生符号量を取得する取得手段と、
符号化処理する際に算出された量子化ステツプ数と当該量子化ステツプ数の平均値に基づいて、上記取得手段により取得された発生符号量を修正する修正手段と、
上記映像信号を再符号化処理して再符号化データを生成する再符号化手段と、
上記修正手段により修正された発生符号量に基づいて再符号化処理するように、上記再符号化手段の再符号化処理を制御する制御手段と
を具えることを特徴とする符号化装置。
【請求項１２】
上記制御手段は、上記修正手段により修正された発生符号量から発生符号量目標値を算出するとともに、当該算出された発生符号量目標値に基づいて再符号化処理するように、上記再符号化手段の再符号化処理を制御する
ことを特徴とする請求項１１に記載の符号化装置。
【請求項１３】
映像信号を符号化処理する符号化装置において、
上記映像信号を符号化処理する際に算出された量子化ステツプ数に基づいて、ビツト配分を調整するレート調整パラメータを算出する算出手段と、
上記算出手段により算出されたレート調整パラメータを用いて、上記映像信号を符号化処理する際に算出された符号化難易度を修正する修正手段と、
映像信号を再符号化処理して再符号化データを生成する再符号化手段と、
上記修正手段により修正された符号化難易度に基づいて再符号化処理するように、上記再符号化手段の再符号化処理を制御する制御手段と
を具えることを特徴とする符号化装置。
【請求項１４】
上記制御手段は、上記修正手段により修正された符号化難易度から発生符号量目標値を算出するとともに、当該算出された発生符号量目標値に基づいて再符号化処理するように、上記再符号化手段の再符号化処理を制御する
ことを特徴とする請求項１３に記載の符号化装置。
【請求項１５】
映像信号を符号化処理する符号化装置において、
上記映像信号を符号化処理する際に算出された量子化ステツプ数に基づいて、ビツト配分を調整するレート調整パラメータを算出する算出手段と、
上記算出手段により算出されたレート調整パラメータを用いて、上記映像信号を符号化処理する際に算出された発生符号量を修正する修正手段と、
映像信号を再符号化処理して再符号化データを生成する再符号化手段と、
上記修正手段により修正された発生符号量に基づいて再符号化処理するように、上記再符号化手段の再符号化処理を制御する制御手段と
を具えることを特徴とする符号化装置。
【請求項１６】
上記制御手段は、上記修正手段により修正された発生符号量から発生符号量目標値を算出するとともに、当該算出された発生符号量目標値に基づいて再符号化処理するように、上記再符号化手段の再符号化処理を制御する
ことを特徴とする請求項１５に記載の符号化装置。
【請求項１７】
映像信号を符号化処理して符号化データを生成する符号化ステツプと、
上記映像信号の符号化難易度を取得する取得ステツプと、
符号化処理する際に算出された量子化ステツプ数と該量子化ステツプ数の平均値に基づいて、上記取得された符号化難易度を修正する修正ステツプと、
上記修正された符号化難易度に基づいて上記映像信号を再符号化処理して再符号化データを生成する再符号化ステツプと
を具えることを特徴とする符号化方法。
【請求項１８】
映像信号を符号化処理して符号化データを生成する符号化ステツプと、
上記符号化処理による符号化データの発生符号量を取得する取得ステツプと、
符号化処理する際に算出された量子化ステツプ数と該量子化ステツプ数の平均値に基づいて、上記取得された発生符号量を修正する修正ステツプと、
上記修正された発生符号量に基づいて上記映像信号を再符号化処理して再符号化データを生成する再符号化ステツプと
を具えることを特徴とする符号化装置。
【請求項１９】
映像信号を符号化処理して符号化データを生成する符号化ステツプと、
上記映像信号を符号化処理する際に算出された量子化ステツプ数に基づいて、ビツト配分を調整するレート調整パラメータを算出する算出ステツプと、
上記算出手段により算出されたレート調整パラメータを用いて、上記映像信号を符号化処理する際に算出された符号化難易度を修正する修正ステツプと、
上記修正された符号化難易度に基づいて上記映像信号を再符号化処理して再符号化データを生成する再符号化ステツプと
を具えることを特徴とする符号化方法。
【請求項２０】
映像信号を符号化処理して符号化データを生成する符号化ステツプと、
上記映像信号を符号化処理する際に算出された量子化ステツプ数に基づいて、ビツト配分を調整するレート調整パラメータを算出する算出ステツプと、
上記レート調整パラメータを用いて、上記映像信号を符号化処理する際に算出された発生符号量を修正する修正ステツプと、
上記修正された発生符号量に基づいて上記映像信号を再符号化処理して再符号化データを生成する再符号化ステツプと
を具えることを特徴とする符号化方法。
【手続補正３】
【補正対象書類名】明細書
【補正対象項目名】０００３
【補正方法】変更
【補正の内容】
【０００３】
【発明の属する技術分野】
本発明は符号化制御装置及び符号化制御方法、符号化装置及び符号化方法に関し、例えば映像信号の符号化に適用して好適なものである。
【手続補正４】
【補正対象書類名】明細書
【補正対象項目名】００２６
【補正方法】変更
【補正の内容】
【００２６】
本発明は以上の点を考慮してなされたもので、エンコード結果の画質に問題がある場合においても、再度プリエンコードを行うことなく、良好な画質の符号化データを生成し得る符号化制御装置及び符号化制御方法、符号化装置及び符号化方法を提案しようとするものである。